(57)【要約】【課題】フライト擬似体験を十分に体感でき、短時間で多数の乗客が楽しめる装置の提供を目的とする。【解決手段】水平軸心Ｌ1 廻りに間欠的に回転輪１が回転する。区画壁３によって、複数の区画室４が形成される。一つの区画室４が最上位置Ｔを越すとメインショーステージＳ3 として、空撮映像を見ることができる。【選択図】図１
2009254731.tif 000002
【特許請求の範囲】
【請求項１】
水平軸心（Ｌ1 ）廻りに間欠的に回転駆動される側面視円形の回転輪（１）を備え、側面視放射状の複数枚の区画壁（３）によって、上記回転輪（１）は複数個の区画室（４）に仕切られて、各区画室（４）内には少なくとも左右方向に複数の座席（５）を設け、上記回転駆動によって、上記回転輪（１）の一つの区画室（４）が最上位置（Ｔ）を越えたメインショーステージ（Ｓ3 ）に於て、上記回転輪（１）とは別に設けた映像表示面（７）に空撮映像（Ｅ）を表示して、空を飛んでいる擬似体感を与えるように構成したことを特徴とするフライト擬似体験遊戯装置。
【請求項２】
水平軸心（Ｌ1 ）廻りに間欠的に回転駆動される側面視円形の回転輪（１）を備え、側面視放射状の複数枚の区画壁（３）によって、上記回転輪（１）は複数個の区画室（４）に仕切られて、各区画室（４）内には少なくとも左右方向に複数の座席（５）を設け、上記回転駆動によって、上記回転輪（１）の一つの区画室（４）が最上位置（Ｔ）を越えたメインショーステージ（Ｓ3 ）に於て、上記回転輪（１）とは別に設けた映像表示面（７）に空撮映像（Ｅ）を表示して、空を飛んでいる擬似体感を与えるように構成し、さらに、上記回転駆動によって、上記回転輪（１）の他の区画室（４）が上記最上位置（Ｔ）の手前位置で、該他の区画室（４）の区画壁（３）に各種映像（Ｃ）を表示してプレ演出ステージとすると共に、上記回転駆動によって、上記回転輪（１）の別の区画室（４）が最下位置に於て、乗客の乗り降りステージとするように構成したことを特徴とするフライト擬似体験遊戯装置。
【請求項３】
水平軸心（Ｌ1 ）廻りに間欠的に回転駆動される左右円形壁（２）（２）を有する回転輪（１）を備え、中心角 120°をもって、側面視放射状の３枚の区画壁（４）によって、上記回転輪（１）は３個の区画室（４）に仕切られ、各区画室（４）内には少なくとも左右方向に複数の座席（５）を設け、上記回転駆動によって３枚の内の１枚の区画壁（３）は鉛直上方向を向き、他の２枚の区画壁（３）（３）が後方下傾と前方下傾の方向を向いて上記間欠的な回転が停止し、最下位置の区画室（４）は乗り降りステージ（Ｓ1 ）として、プラットホーム（16）に対応し、後方上部に位置する区画室（４）は各種映像（Ｃ）を区画壁（３）に表示するプレ演出ステージ（Ｓ2 ）とし、さらに、最上位置（Ｔ）を越えて停止した前方上部に位置する区画室（４）はメインショーステージ（Ｓ3 ）として、回転輪（１）とは別に設けた映像表示面（７）に空撮映像（Ｅ）を表示して、空を飛んでいる擬似体感を与えるように構成し、かつ、上記回転輪（１）には、外周円筒壁が省略されて、各区画室（４）はラジアル外方向に開放状であることを特徴とするフライト擬似体験遊戯装置。
【請求項４】
各区画室（４）内には左右方向に複数の座席（５）から成る座席群（Ｇ5 ）を、前後に複数群備え、該座席群（Ｇ5 ）は、側面視前方下傾階段状に所定間隔をもって、配設されている請求項１，２又は３記載のフライト擬似体験遊戯装置。
【請求項５】
各区画室（４）内の左右方向の複数の座席（５）から成る座席群（Ｇ5 ）を、昇降させる昇降手段（Ｈ）、左右に傾動させるローリング手段（Ｒ）、前後に傾動させるピッチング手段（Ｐ）が、各区画室（４）に対応して設けられている請求項１，２，３又は４記載のフライト擬似体験遊戯装置。
【請求項６】
上記プラットホーム（16）は、ラジアル外方向に開放状の乗り降りステージに対応の区画室（４）へ下方から侵入して、上記座席（５）への乗り降りを容易とする可動ホーム部（16Ａ）を備えた請求項３，４又は５記載のフライト擬似体験遊戯装置。
【請求項７】
上記プレ演出ステージ（Ｓ2 ）と上記メインショーステージ（Ｓ3 ）では、乗客の脚が宙に浮いた位置に座席（５）が配設されると共に、上記乗り降りステージ（Ｓ1 ）では、可動ホーム部（16Ａ）に、座席（５）に座った乗客の足が接触するように構成した請求項６記載のフライト擬似体験遊戯装置。
【発明の詳細な説明】
【技術分野】
【０００１】
本発明は、フライト擬似体験遊戯装置に関する。
【背景技術】
【０００２】
従来、乗客が座席に座って、この座席を前後に円弧を描く移動を与えて、かつ、前方から前方下方に円弧状映写スクリーンを設置し、乗客が円弧を描く移動と共に、映写スクリーンの視覚と合わせて、楽しむフライト擬似体験遊戯装置が知られている（例えば、特許文献１参照）。
【特許文献１】特開２００２−２２４４５７号公報
【発明の開示】
【発明が解決しようとする課題】
【０００３】
しかし、従来の上記遊戯装置では、大きな円弧状移動、及び、座席の前後の揺動があるといえども、映像に同調した微妙な座席の動きが全くできず、面白さに欠けるという問題があった。また、プラットホームで乗客が乗り降りしている際には、映像を楽しむことが全くできず、所定時間内に少人数の乗客を楽しませるにとどまっていた。
そこで、本発明は、ハンググライダーやモーターグライダーに乗って、大空を飛び回る爽快感及び浮遊感を体感させることができる遊戯装置の提供を目的とする。また、所定時間内に、次々と、能率良くかつスムーズに多数の乗客の乗り降り、及び、映像の楽しみを可能とした遊戯装置の提供を他の目的とする。
【課題を解決するための手段】
【０００４】
上記目的を達成するために、本願発明に係るフライト擬似体験遊戯装置は、水平軸心廻りに間欠的に回転駆動される側面視円形の回転輪を備え、側面視放射状の複数枚の区画壁によって、上記回転輪は複数個の区画室に仕切られて、各区画室内には少なくとも左右方向に複数の座席を設け、上記回転駆動によって、上記回転輪の一つの区画室が最上位置を越えたメインショーステージに於て、上記回転輪とは別に設けた映像表示面に空撮映像を表示して、空を飛んでいる擬似体感を与えるように構成したものである。
【０００５】
また、本発明は、水平軸心廻りに間欠的に回転駆動される側面視円形の回転輪を備え、側面視放射状の複数枚の区画壁によって、上記回転輪は複数個の区画室に仕切られて、各区画室内には少なくとも左右方向に複数の座席を設け、上記回転駆動によって、上記回転輪の一つの区画室が最上位置を越えたメインショーステージに於て、上記回転輪とは別に設けた映像表示面に空撮映像を表示して、空を飛んでいる擬似体感を与えるように構成し、さらに、上記回転駆動によって、上記回転輪の他の区画室が上記最上位置の手前位置で、該他の区画室の区画壁に各種映像を表示してプレ演出ステージとすると共に、上記回転駆動によって、上記回転輪の別の区画室が最下位置に於て、乗客の乗り降りステージとするように構成したものである。
【０００６】
また、本発明は、水平軸心廻りに間欠的に回転駆動される左右円形壁を有する回転輪を備え、中心角 120°をもって、側面視放射状の３枚の区画壁によって、上記回転輪は３個の区画室に仕切られ、各区画室内には少なくとも左右方向に複数の座席を設け、上記回転駆動によって３枚の内の１枚の区画壁は鉛直上方向を向き、他の２枚の区画壁が後方下傾と前方下傾の方向を向いて上記間欠的な回転が停止し、最下位置の区画室は乗り降りステージとして、プラットホームに対応し、後方上部に位置する区画室は各種映像を区画壁に表示するプレ演出ステージとし、さらに、最上位置を越えて停止した前方上部に位置する区画室はメインショーステージとして、回転輪とは別に設けた映像表示面に空撮映像を表示して、空を飛んでいる擬似体感を与えるように構成し、かつ、上記回転輪には、外周円筒壁が省略されて、各区画室はラジアル外方向に開放状である。
【０００７】
また、各区画室内には左右方向に複数の座席から成る座席群を、前後に複数群備え、該座席群は、側面視前方下傾階段状に所定間隔をもって、配設されている。
また、各区画室内の左右方向の複数の座席から成る座席群を、昇降させる昇降手段、左右に傾動させるローリング手段、前後に傾動させるピッチング手段が、各区画室に対応して設けられている。
また、上記プラットホームは、ラジアル外方向に開放状の乗り降りステージに対応の区画室へ下方から侵入して、上記座席への乗り降りを容易とする可動ホーム部を備えている。
また、上記プレ演出ステージと上記メインショーステージでは、乗客の脚が宙に浮いた位置に座席が配設されると共に、上記乗り降りステージでは、可動ホーム部に、座席に座った乗客の足が接触するように構成したものである。
【発明の効果】
【０００８】
本発明によれば、間欠的に一方向に回転する回転輪により、次々と乗客を能率的に楽しませることが可能である。
また、最上位置を越すと、高い場所でメインショーを楽しむことができ、空撮映像の場所の上空を、あたかも飛んでいるが如き擬似体験を簡便に楽しめる。
【発明を実施するための最良の形態】
【０００９】
以下、図示の実施の形態に基づき本発明を詳説する。
図１の側面図，図２の要部説明正面図、及び、図３の全体を示す簡略構成図と、図４の断面平面図に於て、１は水平軸心Ｌ1 廻りに間欠的に回転駆動される側面視円形の回転輪であり、図例では２個の回転輪１，１を配置した場合を示すと共に、平面的に見て、各軸心Ｌ1 ，Ｌ1 を（同一軸心上ではなくって）５°〜20°の角度θをもって、交叉させ、回転輪１，１の前方側Ａを相互に接近するように配設している。
【００１０】
各回転輪１は、円形の左右側壁２，２を有し、かつ、側面視放射状の複数枚（図例では３枚）の区画壁３，３，３によって、複数個（３個）の区画室４，４，４に仕切られる。各区画室４内には、少なくとも左右方向に複数の座席５を設ける。図例では、各区画室４内には、左右方向に複数の座席５から成る座席群Ｇ5 を、前後に３群備えており、この座席群Ｇ5 は、（図１に示す如く）前方下傾階段状に所定間隔をもって、配設されている。なお、各区画室４内に、２群又は４群以上の座席群Ｇ5 を配設することも、自由である。各区画室４は、左右は側壁２，２にて閉じられ、前後は矩形の区画壁３，３にて閉じられるが、ラジアル外方向には開放状であって、外周壁（円筒外壁）が省略されている。
【００１１】
このような回転輪１，１は、大きな建物等の中空構造体６内に、図３のように、設けられ、回転輪１, １の前方側Ａには映写スクリーン等の映像表示面７が鉛直状（又は図示省略の凹曲面状）に、設けられる。
８は、回転輪１を間欠的に矢印Ｂ方向に回転駆動する回転駆動装置である。例えば、床面９上の基台10に設置したモータと、モータの出力軸に付設のスプロケットと、側壁２の外周縁に付設のチェーン等をもって、回転駆動装置は構成される。11は支持脚であって、回転輪１の水平軸心Ｌ1 に沿って固設の支軸12の両端を、軸受等にて、回転可能に枢支する。
【００１２】
図１に於て、間欠的な回転が一旦停止している停止状態を示す。この停止状態で、（図３では図示省略したが）図１に示すような少なくとも３枚の仕切壁部13，14，15が、図３の中空構造体６内に設けられ、各仕切壁部13, 14，15は、停止中の回転輪１の区画室壁３，３，３の外端縁に接近して、光（及び音）ができるだけ洩れないように、遮断する。
【００１３】
この図１に示す状態で、約３分〜10分の停止時間だけ静止しているが、３枚の内の１枚の区画壁３は鉛直上方向を向き、他の２枚の区画壁３，３が後方下傾と前方下傾の方向を向いて、中心角 120°の区画室４，４，４の内の最下位置の区画室４は、乗り降りステージＳ1 として利用され、プラットホーム16に対応する。そして、後方上部に位置する区画室４は各種映像Ｃを鉛直状の区画壁３に表示するプレ演出ステージＳ2 とし、さらに、最上位置Ｔを越えて停止中の、前方上部に位置する区画室４はメインショーステージＳ3 とする。即ち、回転輪１とは別に設けた映像表示面７（図３参照）に、図６に例示したような雄大な空撮映像を表示して、空を飛んでいる擬似体感を与えるように構成される。特に、回転輪１は、外周円筒壁が省略されて、区画室４はラジアル外方向に開放状であり、さらに、左右は側壁２，２により閉じられ、後方は鉛直状区画壁３と仕切壁部15にて閉じられ、下方は、区画壁３と仕切壁部14にて閉じられ、かつ、建物（中空構造体）６内に設けられているので、暗闇の中に、美しく雄大な空撮映像Ｅを映し出し得ることとなる。なお、図６に於ては、体感イメージを描いた図であり、ハンググライダー18と乗客Ｊは、本発明に係るフライト擬似体験遊戯装置のメインショーステージＳ3 に於ける擬似体験の感覚を表す。
【００１４】
上述のように、本発明では、回転駆動によって、回転輪１の一つの区画室４が最上位置Ｔを越すと、突然、メインショーステージＳ3 に切替わり、空撮映像Ｅを観て、空を飛んでいるような擬似体感が与えられる。
最上位置Ｔの手前位置（後方上部）の区画室４はプレ演出ステージＳ2 として、鉛直状区画壁３をスクリーンとして、例えば、図５のような各種映像Ｃを表示するが、このとき空撮映像Ｅの小型のものとしたり、あるいは、他の期待を高める映像（と音楽）としても良い。
【００１５】
なお、図５に示したハンググライダー18と乗客Ｊは、フライト擬似体験中の感覚を表現したイメージ図である。このプレ演出ステージＳ2 に於て、左右は側壁２，２にて、及び下方は区画壁３と仕切壁部13にて閉じられ、上方は、スクリーン面としての区画壁３と仕切壁部15にて閉じられており、外部から余分な光が入らないように遮断された空間が形成され、効果的に各種映像にてフライト擬似体験を行わせ得る。
【００１６】
ところで、各区画室４内の左右方向の複数の座席５から成る座席群Ｇ5 を昇降させる昇降手段Ｈ、及び、左右に傾動させるローリング手段Ｒ、さらに、前後に傾動させるピッチング手段Ｐが、各区画室４に対応して、設けられている。
また、プラットホーム16は、前記乗り降りステージＳ1 に停止中の区画室４へ、下方から、図１の仮想線から実線のように侵入して、座席５への乗客の乗り降りを容易とする可動ホーム部16Ａを備えている。即ち、固定ホーム部16Ｂに対して、枢支軸心Ｌ16廻りに上下揺動して、可動ホーム部16Ａは、下方（ラジアル外方向）へ開放状の最下位置の区画室４へ侵入・後退可能である。エアシリンダ等のアクチュエータ19によって、階段状の可動ホーム部16Ａは、固定ホーム部16Ｂの後方上端角部の枢支軸心Ｌ16廻りに揺動する。
【００１７】
このようにして、乗り降りステージＳ1 では、可動ホーム部16Ａに、座席５に座った乗客の足が接触するように、可動ホーム部16Ａの側面視形状が、凸部と凹部が交互に形成されると共に前方下傾階段状とし、十分に座席５へ下方から接近可能とする。そして、矢印Ｂ方向への回転途中、及び、プレ演出ステージＳ2 とメインショーステージＳ3 では、乗客の脚が宙に浮いた位置に、座席５が設けられている。
図５と図６の状況では、乗客Ｊは、脚が宙に浮いていることで、フライト擬似体験を一層深く味わうことが可能である。
【００１８】
以下、さらに具体的に説明する。各区画室４の３群から成る座席群Ｇ5 ，Ｇ5 ，Ｇ5 は、座席群保持枠20に取着（固着）される。この保持枠20は、図例では、左右斜めフレーム20Ａと、３本平行に配設した横フレーム20Ｂとを、備える。この保持枠20の斜めフレーム20Ａ，20Ａの外面から孔付き突出片（クレビス）21, 21が突設されている。つまり、斜めフレーム20Ａの長手方向の中央部に、突出片21が突設されている。
【００１９】
22は、側面視縦長矩形枠状のピッチング枠であり、上辺から上方へ突出状にエアシリンダ等の往復アクチュエータ23が付設され、このアクチュエータ23のピストンロッド先端に、第１ピン25と垂下アーム24と第２ピン26を介して、座席群保持枠20の孔付き突出片21に、連結され、かつ、第１・第２ピン25，26は前後方向に配設されているので、図７〜図10に示す如く、３群の座席群Ｇ5 ，Ｇ5 ，Ｇ5 は保持枠20と一体に、図７の下降位置から、図８の上昇位置の間を昇降自在であり、また、図９と図10のように、左右のアクチュエータ23, 23の内の一方を伸長し、他方を短縮すれば、左ローリングや右ローリングを自由に行い得る。
【００２０】
このようにして、座席群昇降手段Ｈは、図例では、左右一対のアクチュエータ23, 23と、ピッチング枠22と、座席群保持枠20等から、構成される。
しかも、左右に傾動させるローリング手段Ｒも、上記座席群昇降手段Ｈと同様の構成であるが、第１ピン25と垂下アーム24と第２ピン26とがプラスされ、座席群保持枠20の左右傾動（ローリング）時の第２ピン26, 26の左右への微小寸法の動きを、許容している。
【００２１】
次に、ピッチング枠22は、水平状の軸心Ｌ22廻りに前後揺動（ピッチング）自在に左右側壁２，２に枢支されている。そして、図７〜図10では、左右側壁２の一方は、軸受等にて単に枢支されているが、他方は、ピッチング駆動装置27を介して枢支している。このピッチング駆動装置27は、モータと減速機と内接ギアから構成される。このようにすれば、座席水平維持機能をも兼ねていると言える。
【００２２】
このように、図７〜図10では、ピッチング手段Ｐが、ピッチング枠22, 22と、ピッチング枠22, 22を左右側壁２，２に水平状の軸心Ｌ22廻りに前後傾動可能に枢支する手段と、その枢支位置で前後傾動駆動させる前記ピッチング駆動装置27から、構成されている。
なお、ピッチング手段Ｐとしては、他の構成とするも自由であり、図１と図２では、ピッチング用往復アクチュエータ（エアシリンダ）28を、側壁２の一部と、ピッチング枠22の一部とを、連結し、このアクチュエータ28の伸縮作動によって、軸心Ｌ22廻りにピッチング枠22を前後傾動させるようにしている。なお、この図１，図２では、水平維持手段29が付設される。
そして、図１に於て、保持枠20から支持柱30を立設して、天蓋31を設け、この天蓋31からミストが噴出したり、各種音響が発せられる。
【００２３】
次に、作動と作用等について説明する。乗客は、乗り降りステージＳ1 でプラットホーム16から座席５へ乗り込むが、このとき、図１の実線のように可動ホーム部16Ａが上昇位置にあって、座席５への乗り込みはスムーズに行われる。着席するとハーネスを締め、発射ブザーが鳴る。可動ホーム部16Ａが降下し、座席５が上昇し、次の、プレ演出ステージＳ2 までゆっくりと矢印Ｂ方向へ 120°回転してゆく。
【００２４】
プレ演出ステージＳ2 では、前方の鉛直状区画壁３をスクリーン面として、大空を飛翔する映像Ｃ等映し出して、座席５は、この映像に同期して、ローリングやピッチングや、上昇又は下降（ストール；失速）するように、動く。
プレ演出が終了すると、次のメインショーステージＳ3 まで、ゆっくりと矢印Ｂ方向に回転し、最上位置Ｔを越えて前方へ移動する。このメインショーステージＳ3 では、（図３に示すように、）映像表示面７までの距離も遠くなり、図６に例示のような雄大な空撮映像Ｅを体感できる。このとき、映像Ｅと同期して、座席５がローリング、ピッチング、上昇、又は下降（ストール；失速）するように動き、雲を突き抜けるシーンでは、天蓋31からミストが流れてくる。
【００２５】
メインショーが終了すると、矢印Ｂ方向にゆっくりと回転して乗り降りステージＳ1 に到着する。可動ホーム部16Ａがゆっくりと上昇し、同時に、座席５もゆっくりと下降して、着地するイメージを演出することも好ましい。可動ホーム部16Ａがロックされれば、ハーネスが開放されて、乗客は降りて、出口から出て行く。
なお、回転輪１が２連（２個）の場合、閑散時には、１個のみの運行も可能である。また、図３と図４のように、前方側Ａが相互に回転輪１，１が接近する配置であることによって、映像表示面（スクリーン面）７を、全ての乗客から、見易いという利点がある。
【００２６】
本発明は上述のような構成であり、映像Ｃ，Ｅに同調して、座席５をピッチングやローリングやストール等の微妙な動きを行うことができるので、雄大な空撮映像Ｅ等と共に面白いフライト擬似体験が可能となった。
また、乗り降りステージＳ1 ではゆっくりと乗り降りが可能であって、その際に、他のステージＳ2 ，Ｓ3 では、映像Ｃ，Ｅを、（無駄な待ち時間なく）能率的に体感できる。そして、短時間（例えば、４分〜10分間で）次々と多数の乗客をスムーズに乗り込ませ、フライト擬似体験させ、次に、降ろすことが可能である。
【図面の簡単な説明】
【００２７】
【図１】本発明の実施の一形態を示す側面図である。
【図２】一部断面で示した正面図である。
【図３】全体の簡略構成説明図である。
【図４】断面平面図である。
【図５】プレ演出ステージのイメージ図である。
【図６】メインショーステージのイメージ図である。
【図７】下降状態説明図である。
【図８】上昇状態説明図である。
【図９】左下傾状態の説明図である。
【図１０】右下傾状態の説明図である。
【符号の説明】
【００２８】
１  回転輪
３  区画壁
４  区画室
５  座席
７  映像表示面
Ｃ  各種映像
Ｅ  空撮映像
Ｇ5   座席群
Ｈ  昇降手段
Ｌ1   水平軸心
Ｐ  ピッチング手段
Ｒ  ローリング手段
Ｓ1   乗り降りステージ
Ｓ2   プレ演出ステージ
Ｓ3   メインショーステージ
【図１】
2009254731.tif 000003
【図２】
2009254731.tif 000004
【図３】
2009254731.tif 000005
【図４】
2009254731.tif 000006
【図５】
2009254731.tif 000007
【図６】
2009254731.tif 000008
【図７】
2009254731.tif 000009
【図８】
2009254731.tif 000010
【図９】
2009254731.tif 000011
【図１０】
2009254731.tif 000012